(57)【要約】【課題】情報機器とその内部に記録されている情報との対応を使用者が簡単な手順で把握することを可能としたデータ制御装置、制御方法、及びプログラムを提供する。【解決手段】液晶テレビは、アンテナアレイ２０１、通信制御部２０２、システムコントローラ２０３、表示部２０４を備える。システムコントローラ２０３は、アンテナアレイ２０１のアンテナモジュールにより検出されたデジタルカメラの位置に応じて、表示部２０４における画像を表示する表示領域を決定する。更に、システムコントローラ２０３は、デジタルカメラが液晶テレビから所定の範囲内に存在する場合、デジタルカメラに対しサムネイル画像を検索して送信するよう要求し、デジタルカメラから受信したサムネイル画像を決定された表示領域に表示する。【選択図】図５ｂ
2010010790.tif 000002
【特許請求の範囲】
【請求項１】
情報機器と無線通信を行うことで前記情報機器に関する情報を表示手段に表示することが可能なデータ制御装置であって、
前記情報機器の位置を検出する検出手段と、
前記検出手段により検出された前記情報機器の位置に応じて、前記表示手段における前記情報機器に関する情報を表示する表示位置を決定する決定手段と、
前記情報機器が前記データ制御装置から規定の範囲内に存在する場合に、前記情報機器に関する情報を前記決定手段により決定された前記表示位置に表示する制御手段と、
を備えることを特徴とするデータ制御装置。
【請求項２】
前記情報機器に関する情報とは、前記情報機器に内蔵された記録媒体に記録されている情報、前記情報機器に着脱可能に装着された記録媒体に記録されている情報、前記情報機器に無線通信接続あるいは有線通信接続された第２の情報機器に記録されている情報、前記第２の情報機器に関する情報、のいずれかを含むことを特徴とする請求項１記載のデータ制御装置。
【請求項３】
前記表示手段の表示領域を、それぞれ異なる検索条件を設定することが可能な複数の表示領域に分割する構成とし、
前記複数の表示領域の中から、前記検出手段により検出された前記情報機器の位置に近い表示領域を判定する判定手段を備え、
前記制御手段は、前記判定手段により前記情報機器の位置に近いと判定された表示領域に対して設定されている前記検索条件に基づき、前記情報機器に関する情報を前記情報機器に検索させると共に、前記情報機器から送信される検索結果を前記情報機器の位置に近いと判定された前記表示領域に表示することを特徴とする請求項１記載のデータ制御装置。
【請求項４】
前記表示手段の分割された複数の表示領域は、境界線により明示されると共に、それぞれ設定された前記検索条件を示す識別情報が表示されることを特徴とする請求項３記載のデータ制御装置。
【請求項５】
前記検出手段により検出される前記情報機器の位置とは、前記情報機器の絶対位置、前記表示手段と前記情報機器との相対位置、のいずれかであることを特徴とする請求項１記載のデータ制御装置。
【請求項６】
前記情報機器と無線通信を行うための複数のアンテナモジュールからなるアンテナアレイを備え、
前記検出手段は、前記複数のアンテナモジュールと前記情報機器との間の通信強度を測定すると共に通信強度が強いアンテナモジュールを特定することで、前記情報機器の位置を検出することを特徴とする請求項１記載のデータ制御装置。
【請求項７】
前記データ制御装置に対する前記情報機器の接触を検知する検知手段を備え、
前記検出手段は、前記検知手段により前記情報機器の接触を検知したことに基づき、前記情報機器の位置を検出することを特徴とする請求項１記載のデータ制御装置。
【請求項８】
情報機器と無線通信を行うことで前記情報機器に関する情報を表示手段に表示することが可能なデータ制御装置の制御方法であって、
前記情報機器の位置を検出する検出ステップと、
前記検出ステップにより検出された前記情報機器の位置に応じて、前記表示手段における前記情報機器に関する情報を表示する表示位置を決定する決定ステップと、
前記情報機器が前記データ制御装置から規定の範囲内に存在する場合に、前記情報機器に関する情報を前記決定ステップにより決定された前記表示位置に表示する制御ステップと、を有することを特徴とする制御方法。
【請求項９】
情報機器と無線通信を行うことで前記情報機器に関する情報を表示手段に表示することが可能なデータ制御装置の制御方法をコンピュータに実行させるプログラムであって、前記制御方法は、
前記情報機器の位置を検出する検出ステップと、
前記検出ステップにより検出された前記情報機器の位置に応じて、前記表示手段における前記情報機器に関する情報を表示する表示位置を決定する決定ステップと、
前記情報機器が前記データ制御装置から規定の範囲内に存在する場合に、前記情報機器に関する情報を前記決定ステップにより決定された前記表示位置に表示する制御ステップと、を有することを特徴とするプログラム。
【発明の詳細な説明】
【技術分野】
【０００１】
本発明は、情報機器と無線通信可能なデータ制御装置、制御方法、及びプログラムに関する。
【背景技術】
【０００２】
従来、情報機器同士のデータの授受は、情報機器同士を有線により接続することでデータの授受を行うか、或いは、情報機器同士に着脱可能なデータ記録用の可搬記録媒体を介してデータの授受を行っていた。しかし、近年では、無線通信技術の進展に伴い、情報機器が無線通信用インターフェースを備えることで、情報機器同士が離れた場所にある場合でもデータの授受を行うことが可能となっている。
【０００３】
例えば無線ＬＡＮとして知られているＩＥＥＥ８０２．１１ａ／ｂ／ｇの規格に準拠した無線通信用インターフェースを備えた情報機器であれば、テキストデータや静止画データに限らず、音声データや動画データも高速に転送することが可能である。また、情報機器同士を、アクセスポイントを介在させずに相互に通信を行うアドホックモードで接続すれば、情報機器間で直接データ転送を行うことが可能である。
【０００４】
情報機器に対してコピー等のデータ操作を行うには、これまではパーソナルコンピュータ（ＰＣ）と情報機器を接続し、ＰＣの画面上からフォルダ操作を行う方法が一般的であった。また、これを一歩進めた技術としては以下のような技術が提案されている（例えば、特許文献１参照）。特許文献１では、使用者の入力操作を受け付ける入力装置と、その周囲に存在する制御対象の情報機器の物理位置情報を取得し、物理位置情報を表示画面上の仮想位置に変換してアイコンで表示する。これにより、そのアイコンに対して使用者の指示操作を可能とするものである。
【特許文献１】特開２００４−３２０２０９号公報
【発明の開示】
【発明が解決しようとする課題】
【０００５】
しかしながら、従来の技術においては、ＰＣの画面上から情報機器のデータ操作を行う場合、どの情報機器にどのようなデータが記憶されているのかを直感的に把握しづらいといった問題がある。この問題は、例えば同じ種類の情報機器を無線通信により複数接続した場合に顕著である。
【０００６】
本発明の目的は、情報機器とその内部に記録されている情報との対応を使用者が簡単な手順で把握することを可能としたデータ制御装置、制御方法、及びプログラムを提供することにある。
【課題を解決するための手段】
【０００７】
上述の目的を達成するために、本発明は、情報機器と無線通信を行うことで前記情報機器に関する情報を表示手段に表示することが可能なデータ制御装置であって、前記情報機器の位置を検出する検出手段と、前記検出手段により検出された前記情報機器の位置に応じて、前記表示手段における前記情報機器に関する情報を表示する表示位置を決定する決定手段と、前記情報機器が前記データ制御装置から規定の範囲内に存在する場合に、前記情報機器に関する情報を前記決定手段により決定された前記表示位置に表示する制御手段と、を備えることを特徴とする。
【発明の効果】
【０００８】
本発明によれば、複数の情報機器がデータ制御装置に無線通信接続された場合でも、使用者が情報機器とその内部に記録されている情報との対応を使用者が簡単な手順で把握することが可能となる。
【発明を実施するための最良の形態】
【０００９】
以下、本発明の実施の形態を図面に基づいて説明する。
【００１０】
〔第１の実施の形態〕
本発明の第１の実施の形態では、無線通信機能付液晶テレビジョン（以下液晶テレビ）の近くに無線通信機能付デジタルカメラ（以下デジタルカメラ）が置かれた場合、液晶テレビの画面にデジタルカメラ内の画像のサムネイルを表示する例について説明する。
【００１１】
図１は、本実施の形態に係る液晶テレビの構成を示す構成図である。
【００１２】
図１において、液晶テレビ１０１（データ制御装置）は、無線通信機能を備えると共に外部の情報機器（デジタルカメラを含む）と無線通信による接続（以下無線通信接続）が可能であり、テレビ台１０５上に載置されている。液晶テレビ１０１は、その表示部２０４（図２参照）の画面の近くに情報機器が置かれた場合、その情報機器と無線通信接続を行うと共にその情報機器が置かれた位置を検出することが可能である。
【００１３】
図１の例では、デジタルカメラ１０２、１０３、１０４（情報機器）が、液晶テレビ１０１の表示部２０４の画面の近くに置かれている場合を示している。例えば、デジタルカメラ１０２がテレビ上部に置かれ、デジタルカメラ１０３、デジタルカメラ１０４がテレビ前面側に置かれている。
【００１４】
図２は、液晶テレビ１０１及びデジタルカメラ１０２〜１０４の構成を示すブロック図である。尚、図２に示す構成は、本発明の表示手段、検出手段、決定手段、制御手段、判定手段を実現するための一例である。
【００１５】
図２において、液晶テレビ１０１は、外部機器接続モード（外部の無線通信可能な情報機器と無線通信接続を行うことで情報機器に関する情報や画像を受信し再生表示することが可能なモード）を有する。外部機器接続モードは、使用者の操作により予め設定しておくことが可能である。液晶テレビ１０１は、アンテナアレイ２０１（検出手段）、通信制御部２０２、システムコントローラ２０３（検出手段、決定手段、制御手段、判定手段）、表示部２０４（表示手段）を備えている。
【００１６】
アンテナアレイ２０１は、情報機器（デジタルカメラを含む）と無線通信を行うための複数のアンテナモジュール２０１ａ・・・から構成されている。図２では、各アンテナモジュール２０１ａを、アンテナ１、アンテナ２、アンテナ３、・・・アンテナｎと簡易表記している。各アンテナモジュール２０１ａは、液晶テレビ１０１に無線通信接続された情報機器の位置の検出にも用いられる。各アンテナモジュール２０１ａにより検出する位置とは、情報機器の絶対位置、表示部２０４と情報機器との相対位置、のいずれかである。通信制御部２０２は、アンテナアレイ２０１を介した情報機器との間における通信の制御を行う。
【００１７】
システムコントローラ２０３は、液晶テレビ１０１の全体の制御を司るものであり、情報機器から受信した画像データ等をデコードする処理や、表示部２０４に画像を表示する表示位置を判断する処理等の各種処理を実行する。また、システムコントローラ２０３は、制御プログラムに基づき、図５ａ及び図５ｂのフローチャートに示す処理（第１の実施の形態）、図７ａ及び図７ｂのフローチャートに示す処理（第２の実施の形態）を実行する。表示部２０４は、システムコントローラ２０３の制御に基づき、画像や情報機器に関する情報を表示する。
【００１８】
メモリ内蔵型デジタルカメラ（以下デジタルカメラ）１０２は、無線通信部２１１、システムコントローラ２１２、フラッシュメモリ２１３（記録媒体）を備えている。無線通信部２１１は、他の機器（液晶テレビ１０１を含む）との間の無線通信を司る。システムコントローラ２１２は、デジタルカメラ１０２の全体の制御を司る。フラッシュメモリ２１３は、デジタルカメラ１０２に内蔵されており、画像データ等を保存する。
【００１９】
メモリカード使用型デジタルカメラ（以下デジタルカメラ）１０３は、無線通信部２２１、システムコントローラ２２２、メモリカードスロット２２３を備えている。無線通信部２２１は、他の機器（液晶テレビ１０１を含む）との間の無線通信を司る。システムコントローラ２２２は、デジタルカメラ１０３の全体の制御を司る。メモリカードスロット２２３には、画像データ等を保存するためのメモリカード２２４（着脱可能な記録媒体）が着脱可能に装着される。
【００２０】
外部ストレージ機器使用型デジタルカメラ（以下デジタルカメラ）１０４は、無線通信部２３１、システムコントローラ２３２、ＵＳＢ（Universal Serial Bus）端子２３３を備えている。無線通信部２３１は、他の機器（液晶テレビ１０１を含む）との間の無線通信を司る。システムコントローラ２３２は、デジタルカメラ１０４の全体の制御を司る。ＵＳＢ端子２３３は、他の機器（液晶テレビ１０１を含む）とＵＳＢ接続を行うための端子である。ＵＳＢ接続ＨＤＤ（Hard Disk Drive）２３４（第２の情報機器）は、ＵＳＢ接続（有線通信接続）により利用可能な外付ＨＤＤである。無線接続ＨＤＤ２３５（第２の情報機器）は、無線通信接続により利用可能な外付ＨＤＤである。
【００２１】
図３は、液晶テレビ１０１の要部の構造を示す構成図である。
【００２２】
図３において、液晶テレビ１０１は、液晶パネル３０１、アンテナアレイ３０２（図２のアンテナアレイ２０１に対応）、制御ブロック３０３を備えている。液晶パネル３０１は、図２の表示部２０４を構成するものであり、画像や情報機器に関する情報を表示する。アンテナアレイ３０２は、複数のアンテナモジュール３０４（図２のアンテナモジュール２０１ａに対応）がシート状クレードルの全面に規則的に敷き詰められた（配列された）構造を有する。各アンテナモジュール３０４は、図３に示す位置関係で液晶パネル３０１の表示領域に対応している。制御ブロック３０３には、図２のシステムコントローラ２０３が配設されている。
【００２３】
液晶テレビ１０１のシステムコントローラ２０３は、液晶テレビ１０１の近くに置かれた情報機器と、各アンテナモジュール３０４のうちどのアンテナモジュール３０４とが安定した通信を行えるかを測定することで、情報機器の置かれた位置を判断する。そこで、情報機器の置かれた位置を判断するために、上記のように各アンテナモジュール３０４をシート状クレードル内に敷き詰めた構造としている。
【００２４】
次に、上記構成を有する本実施の形態の液晶テレビ１０１を中心とした動作について図４、図５ａ、図５ｂを参照しながら説明する。
【００２５】
図５ａ、図５ｂは、液晶テレビ１０１の近くにデジタルカメラが置かれたときの液晶テレビ１０１のシステムコントローラ２０３の動作を示すフローチャートである。
【００２６】
尚、本実施の形態では、液晶テレビ１０１は予め使用者による液晶テレビ側の操作で上記の外部機器接続モードに設定されているものとする。
【００２７】
図５ａ、図５ｂにおいて、液晶テレビ１０１のシステムコントローラ２０３は、アンテナアレイ３０２の各アンテナモジュール３０４の通信状況を監視することで、液晶テレビ１０１の近くにデジタルカメラが置かれたかどうかを検出する（ステップＳ５０１）。液晶テレビ１０１の近くにデジタルカメラが置かれたことを検出しなかった場合は、検出するまでステップＳ５０１を繰り返す。液晶テレビ１０１の近くにデジタルカメラが置かれたことを検出した場合は、ステップＳ５０２へ進む。
【００２８】
次に、システムコントローラ２０３は、表示部２０４に既に他のデジタルカメラの画像が表示されている表示領域（既表示領域）があるかどうかを確認する。表示部２０４に既表示領域があると判断した場合は、システムコントローラ２０３は、既表示領域に含まれない（既表示領域に対応しない）アンテナモジュールが存在するかどうかを確認する（ステップＳ５０２）。既表示領域に含まれないアンテナモジュールが存在しないと判断した場合は、新たにサムネイル画像を表示する表示領域が確保できないため、本処理を終了する。既表示領域に含まれないアンテナモジュールが存在すると判断した場合は、ステップＳ５０３へ進む。
【００２９】
次に、システムコントローラ２０３は、アンテナアレイ３０２の各アンテナモジュール３０４の全てについて、上記のステップＳ５０１で検出したデジタルカメラとの間の通信強度をそれぞれ測定する（ステップＳ５０３）。ここでいう通信強度とは、アンテナが検知する電波または電界の強さに基づき決定される。次に、システムコントローラ２０３は、測定した通信強度を比較し、既表示領域に含まれない（既表示領域に対応しない）アンテナモジュールで且つデジタルカメラとの間の通信強度が最も強いアンテナモジュールを特定する（ステップＳ５０４）。
【００３０】
次に、システムコントローラ２０３は、上記のステップＳ５０４で特定した最も強い通信強度が予め設定してある一定値（閾値）以上かどうかを判定する（ステップＳ５０５）。これは、通信強度によって液晶テレビ１０１とデジタルカメラの間の距離がどの程度離れているかを判断するために行う。最も強い通信強度が一定値未満の場合は、液晶テレビ１０１とデジタルカメラの間の距離が遠いと判断し、画像の表示は行わず、本処理を終了する。最も強い通信強度が一定値以上の場合は、液晶テレビ１０１とデジタルカメラの間の距離が十分近い（即ち、デジタルカメラが液晶テレビ１０１から規定の範囲内に存在する）と判断し、ステップＳ５０６へ進む。
【００３１】
尚、液晶テレビ１０１とデジタルカメラの間が十分近いと判断する距離、及び、通信強度の強弱の判定基準とする一定値（閾値）については、特定の数値に規定するものではない。ただし、上記の距離及び一定値は、液晶テレビ１０１とデジタルカメラにそれぞれ表示される画像の対応関係が使用者に容易に把握できる程度に、液晶テレビ１０１とデジタルカメラの間が近い距離になるよう設定することが望ましい。
【００３２】
次に、システムコントローラ２０３は、上記のステップＳ５０４で特定した通信強度が最も強いアンテナモジュールの位置に基づき、表示部２０４にサムネイル画像を表示する表示領域を決定する（ステップＳ５０６）。本実施の形態では、表示領域決定方法として、例えば縦横比４：３で且つ対角線の長さが液晶パネル３０１の対角線の長さの４分の１となる矩形の一角に、特定したアンテナモジュールが位置するように表示領域を決定する。ただし、表示領域決定方法は、これに限定されるものではない。
【００３３】
次に、システムコントローラ２０３は、上記のステップＳ５０６の処理で表示部２０４に表示領域が確保できたかどうかを確認する（ステップＳ５０７）。表示部２０４が上記のステップＳ５０１で検出したデジタルカメラとは異なる他のデジタルカメラ用の表示領域で占有され表示領域が確保できない場合は、本処理を終了する。表示部２０４に表示領域が確保できた場合は、ステップＳ５０８へ進む。
【００３４】
次に、システムコントローラ２０３は、通信制御部２０２によりアンテナモジュールを介してデジタルカメラに対してサムネイル画像の送信を要求する通信を行う（ステップＳ５０８）。この場合、要求するサムネイル画像の枚数については、デジタルカメラに記録されている全ての画像ではなく、表示部２０４の表示領域に表示する画像のみでよい。表示領域にサムネイル画像をどのような検索条件で何枚表示するかについては、最近撮影された画像から順に検索を行いサムネイル画像を１６枚表示するものとする。ただし、サムネイル画像の表示例は、これに限定されるものではない。
【００３５】
次に、システムコントローラ２０３は、通信制御部２０２によりアンテナモジュールを介してデジタルカメラからサムネイル画像を受信する（ステップＳ５０９）。尚、受信するサムネイル画像は次のいずれでもよい。デジタルカメラに内蔵されたフラッシュメモリに記録された画像。デジタルカメラに着脱可能に装着されたメモリカードに記録された画像。デジタルカメラに無線通信接続または有線通信接続されたＨＤＤ（（第２の情報機器））に記録された画像（或いはＨＤＤに関する情報）。次に、システムコントローラ２０３は、受信したサムネイル画像をデコードし、表示部２０４の表示領域（表示位置）にデコードしたサムネイル画像を表示し（ステップＳ５１０）、本処理を終了する。
【００３６】
図４は、液晶テレビ１０１の表示部２０４に対するサムネイル画像の表示例を示す図である。
【００３７】
図４において、１台の液晶テレビ１０１の近くに３台のデジタルカメラ１０２、１０３、１０４を置いた場合の、液晶テレビ１０１の表示部２０４の画面に表示されるサムネイル画像の表示例を示している。デジタルカメラ１０２から受信したサムネイル画像が４０２で示すように表示されている。デジタルカメラ１０３から受信したサムネイル画像が４０３で示すように表示されている。デジタルカメラ１０４から受信したサムネイル画像が４０４で示すように表示されている。各サムネイル画像は、それぞれ対応するデジタルカメラから近い位置に表示されていることが分かる。
【００３８】
図４から分かるように、使用者は液晶テレビ１０１の表示部２０４の画面を目視することで、デジタルカメラ１０２、１０３、１０４と、その内部にそれぞれ記録されている画像との対応を容易に把握することができる。尚、表示部２０４の画面に表示する画像は次のいずれでもよい。例えば、デジタルカメラ１０２のようにカメラに内蔵されたフラッシュメモリ２１３から読み出した画像でもよい。また、デジタルカメラ１０３のようにカメラに着脱可能に装着されたメモリカード２２４から読み出した画像でもよい。また、デジタルカメラ１０４のようにカメラに有線通信接続／無線通信接続されたＵＳＢ接続ＨＤＤ２３４／無線接続ＨＤＤ２３５から読み出した画像でもよい。
【００３９】
尚、本実施の形態では、液晶テレビ１０１の表示部２０４の画面にサムネイル画像を表示する場合を例に挙げたが、これに限定されるものではない。例えばポータブルオーディオプレーヤに記録されている音楽ファイルの曲名、携帯電話機に記録されている電子メールの内容を表示部２０４の画面に表示する構成も考えられる。
【００４０】
また、本実施の形態では、液晶テレビ１０１の複数のアンテナモジュールとデジタルカメラとの間の通信強度を測定することでデジタルカメラの位置（距離）を判断する場合を例に挙げたが、これに限定されるものではない。例えば液晶テレビの筐体の表面にタッチセンサ（検知手段）を配設し、システムコントローラ２０３が、タッチセンサによりデジタルカメラの接触を検知したことに基づき、デジタルカメラが置かれた位置を検出する構成も考えられる。
【００４１】
以上説明したように、本実施の形態に係る液晶テレビは、デジタルカメラと一定の通信強度以上の無線通信接続で通信可能な場合に、デジタルカメラが置かれた位置に近い表示領域に、デジタルカメラに記録されている画像のサムネイル画像を表示する。
【００４２】
これにより、複数のデジタルカメラが液晶テレビに無線通信接続された場合でも、使用者が誤ることなく目的のデジタルカメラに記憶された画像を選択することが可能となる。更に、デジタルカメラとその内部に記録されている画像との対応を使用者が簡単な手順で把握することが可能となる。
【００４３】
また、複数のデジタルカメラの中から所望の画像や情報を検索する場合でも、デジタルカメラ毎に検索条件を手動で設定することなく画像や情報を検索することが可能となり、検索結果とデジタルカメラの対応を把握しやすい検索手段の提供が可能となる。
【００４４】
〔第２の実施の形態〕
本発明の第２の実施の形態では、液晶テレビの表示部に４つの領域（「春」「夏」「秋」「冬」）を表示し、液晶テレビに対するデジタルカメラの置かれた位置に応じて、それぞれの季節に撮影された画像のサムネイル画像を表示する例について説明する。
【００４５】
本実施の形態は、上記第１の実施の形態に対して、以下で詳述する点において相違する。本実施の形態のその他の要素（液晶テレビ及びデジタルカメラの構成）は、上記第１の実施の形態（図２、図３）の対応するものと同一なので説明を省略する。
【００４６】
図６は、本実施の形態に係る液晶テレビ１０１の表示部２０４に対する検索領域の表示例を示す図である。
【００４７】
図６において、液晶テレビ１０１の表示部２０４の画面は、例えば４つの検索領域（「春」の検索領域６０１、「夏」の検索領域６０２、「秋」の検索領域６０３、「冬」の検索領域６０４）に境界線６０５で明示され等しく分割されている。４つの検索領域６０１、６０２、６０３、６０４の隅部には、「春」を示すラベル６１１（識別情報）、「夏」を示すラベル６１２、「秋」を示すラベル６１３、「冬」を示すラベル６１４がそれぞれ表示されている。尚、表示部２０４の画面の分割数は複数であればよく、分割数は４つに限定されるものではない。
【００４８】
４つの検索領域６０１、６０２、６０３、６０４には、液晶テレビ１０１に対してデジタルカメラの置かれた位置に応じて、それぞれの季節に撮影された画像のサムネイル画像が表示される。また、４つの検索領域６０１、６０２、６０３、６０４には、それぞれ異なる検索条件（「春」「夏」「秋」「冬」にそれぞれ撮影された画像をデジタルカメラに検索させて液晶テレビ１０１に送信するよう要求する条件）を対応付けて設定することが可能である。
【００４９】
「春」を示すラベル６１１が表示された検索領域６０１は、春（３月、４月、５月）に撮影された画像のみをデジタルカメラから検索して表示することを目的とした領域であり、「春」の検索領域と称する。「夏」を示すラベル６１２が表示された検索領域６０２は、夏（６月、７月、８月）に撮影された画像のみをデジタルカメラから検索して表示することを目的とした領域であり、「夏」の検索領域と称する。
【００５０】
「秋」を示すラベル６１３が表示された検索領域６０３は、秋（９月、１０月、１１月）に撮影された画像のみをデジタルカメラから検索して表示することを目的とした領域であり、「秋」の検索領域と称する。「冬」を示すラベル６１４が表示された検索領域６０４は、冬（１２月、１月、２月）に撮影された画像のみをデジタルカメラから検索して表示することを目的とした領域であり、「冬」の検索領域と称する。
【００５１】
次に、上記構成を有する本実施の形態の液晶テレビ１０１を中心とした動作について図６、図７ａ、図７ｂ、図８を参照しながら説明する。
【００５２】
図７ａ、図７ｂは、液晶テレビ１０１の近くにデジタルカメラが置かれたときの液晶テレビ１０１のシステムコントローラ２０３の動作を示すフローチャートである。
【００５３】
尚、本実施の形態では、液晶テレビ１０１は予め使用者による液晶テレビ側の操作で上記の外部機器接続モードに設定されているものとする。
【００５４】
図７ａ、図７ｂにおいて、液晶テレビ１０１のシステムコントローラ２０３は、アンテナアレイ３０２の各アンテナモジュール３０４の通信状況を監視することで、液晶テレビ１０１の近くにデジタルカメラが置かれたかどうかを検出する（ステップＳ７０１）。液晶テレビ１０１の近くにデジタルカメラが置かれたことを検出しなかった場合は、検出するまでステップＳ７０１を繰り返す。液晶テレビ１０１の近くにデジタルカメラが置かれたことを検出した場合は、ステップＳ７０２へ進む。
【００５５】
次に、システムコントローラ２０３は、アンテナアレイ３０２の各アンテナモジュール３０４の全てについて、上記のステップＳ７０１で検出したデジタルカメラとの間の通信強度をそれぞれ測定する（ステップＳ７０２）。次に、システムコントローラ２０３は、測定した通信強度を比較し、デジタルカメラとの間の通信強度が最も強いアンテナモジュールを特定する（ステップＳ７０３）。
【００５６】
次に、システムコントローラ２０３は、上記のステップＳ７０３で特定した最も強い通信強度が予め設定してある一定値（閾値）以上かどうかを判定する（ステップＳ７０４）。これは、通信強度によって液晶テレビ１０１とデジタルカメラの間の距離がどの程度離れているかを判断するために行う。最も強い通信強度が一定値未満の場合は、液晶テレビ１０１とデジタルカメラの間の距離が遠いと判断し、画像の表示は行わず、本処理を終了する。最も強い通信強度が一定値以上の場合は、液晶テレビ１０１とデジタルカメラの間の距離が十分近い（即ち、デジタルカメラが液晶テレビ１０１から規定の範囲内に存在する）と判断し、ステップＳ７０５へ進む。
【００５７】
尚、液晶テレビ１０１とデジタルカメラの間が十分近いと判断する距離、及び、通信強度の強弱の判定基準とする一定値（閾値）については、特定の数値に規定するものではない。ただし、上記の距離及び一定値は、液晶テレビ１０１とデジタルカメラにそれぞれ表示される画像の対応関係が使用者に容易に把握できる程度に、液晶テレビ１０１とデジタルカメラの間が近い距離になるよう設定することが望ましい。
【００５８】
次に、システムコントローラ２０３は、上記のステップＳ７０３で特定した通信強度が最も強いアンテナモジュールの位置に基づき、表示部２０４にサムネイル画像を表示する表示領域を決定する（ステップＳ７０５）。本実施の形態の表示領域決定方法は上記第１の実施の形態と同様であり、説明を省略する。
【００５９】
次に、システムコントローラ２０３は、上記のステップＳ７０３で特定したアンテナモジュールの位置が、表示部２０４の４つの検索領域６０１、６０２、６０３、６０４のどの検索領域に属しているか（対応しているか）を判定する（ステップＳ７０６）。ここで、デジタルカメラとの間の通信強度が最も強いアンテナモジュールの位置がどの検索領域に属しているか（対応しているか）を判定することは、換言すれば、デジタルカメラが置かれた位置に最も近い検索領域を判定することと同義である。
【００６０】
次に、システムコントローラ２０３は、上記のステップＳ７０６でアンテナモジュールが属すると判定した検索領域が「春」のラベル６１１が表示された「春」の検索領域６０１であるかどうかを判定する（ステップＳ７０７）。「春」の検索領域６０１でないと判定した場合は、ステップＳ７１１へ進む。「春」の検索領域６０１であると判定した場合は、ステップＳ７０８へ進む。
【００６１】
次に、システムコントローラ２０３は、上記のステップＳ７０７でアンテナモジュールが属する検索領域が「春」の検索領域６０１であると判定した場合、デジタルカメラが置かれた位置が「春」の検索領域６０１であると判断する。更に、システムコントローラ２０３は、通信制御部２０２によりアンテナモジュールを介してデジタルカメラに対して春（３月、４月、５月）に撮影された画像のサムネイル画像の送信を要求する通信を行い（ステップＳ７０８）、ステップＳ７０９へ進む。
【００６２】
この場合、液晶テレビ１０１からデジタルカメラに要求するサムネイル画像（画像枚数）については、デジタルカメラに記録されている、検索条件に合致する全ての画像である必要はなく、表示部２０４の検索領域に表示する画像のみでよい。本実施形態では、表示領域にサムネイル画像をどのような検索条件で何枚表示するかについては、上記の検索条件に合致する画像の中で最近撮影された画像から順に検索を行いサムネイル画像を１６枚表示するものとする。ただし、サムネイル画像の表示例は、これに限定されるものではない。
【００６３】
次に、システムコントローラ２０３は、通信制御部２０２によりアンテナモジュールを介してデジタルカメラからサムネイル画像（検索結果）を受信する（ステップＳ７０９）。尚、受信するサムネイル画像は次のいずれでもよい。例えば、デジタルカメラに内蔵されたフラッシュメモリに記録された画像でもよい。また、デジタルカメラに着脱可能に装着されたメモリカードに記録された画像でもよい。また、デジタルカメラに無線通信接続または有線通信接続されたＨＤＤ（（第２の情報機器））に記録された画像（或いはＨＤＤに関する情報）でもよい。次に、システムコントローラ２０３は、受信したサムネイル画像をデコードして表示部２０４の表示領域（「春」の検索領域６０１）（表示位置）に表示し（ステップＳ７１０）、本処理を終了する。
【００６４】
他方、システムコントローラ２０３は、上記のステップＳ７０７の判定結果が“ＮＯ”の場合、アンテナモジュールが属する検索領域が「夏」のラベル６１２が表示された「夏」の検索領域６０２であるかどうかを判定する（ステップＳ７１１）。「夏」の検索領域６０２でないと判定した場合は、ステップＳ７１３へ進む。「夏」の検索領域６０２であると判定した場合は、ステップＳ７１２へ進む。
【００６５】
次に、システムコントローラ２０３は、上記のステップＳ７１１でアンテナモジュールが属する検索領域が「夏」の検索領域６０２であると判定した場合、デジタルカメラが置かれた位置が「夏」の検索領域６０２であると判断する。更に、システムコントローラ２０３は、通信制御部２０２によりアンテナモジュールを介してデジタルカメラに対して夏（６月、７月、８月）に撮影された画像のサムネイル画像の送信を要求する通信を行い（ステップＳ７１２）、ステップＳ７０９へ進む。
【００６６】
以降は、「春」の検索領域６０１の近くにデジタルカメラが置かれた場合と同様に、デジタルカメラからサムネイル画像（検索結果）を受信する（ステップＳ７０９）。更に、受信したサムネイル画像をデコードして表示部２０４の表示領域（「夏」の検索領域６０２）に表示し（ステップＳ７１０）、本処理を終了する。
【００６７】
他方、システムコントローラ２０３は、上記のステップＳ７１１の判定結果が“ＮＯ”の場合、アンテナモジュールが属する検索領域が「秋」のラベル６１３が表示された「秋」の検索領域６０３であるかどうかを判定する（ステップＳ７１３）。「秋」の検索領域６０３でないと判定した場合は、ステップＳ７１５へ進む。「秋」の検索領域６０３であると判定した場合は、ステップＳ７１４へ進む。
【００６８】
次に、システムコントローラ２０３は、上記のステップＳ７１３でアンテナモジュールが属する検索領域が「秋」の検索領域６０３であると判定した場合、デジタルカメラが置かれた位置が「秋」の検索領域６０３であると判断する。更に、システムコントローラ２０３は、通信制御部２０２によりアンテナモジュールを介してデジタルカメラに対して秋（９月、１０月、１１月）に撮影された画像のサムネイル画像の送信を要求する通信を行い（ステップＳ７１４）、ステップＳ７０９へ進む。
【００６９】
以降は、「春」の検索領域６０１の近くにデジタルカメラが置かれた場合と同様に、デジタルカメラからサムネイル画像（検索結果）を受信する（ステップＳ７０９）。更に、受信したサムネイル画像をデコードして表示部２０４の表示領域（「秋」の検索領域６０３）に表示し（ステップＳ７１０）、本処理を終了する。
【００７０】
他方、システムコントローラ２０３は、上記のステップＳ７１３の判定結果が“ＮＯ”の場合、デジタルカメラが「春」「夏」「秋」のどの検索領域にも属さないことから、デジタルカメラが置かれた位置が残りの「冬」の検索領域６０４であると判断する。更に、システムコントローラ２０３は、通信制御部２０２によりアンテナモジュールを介してデジタルカメラに対して冬（１２月、１月、２月）に撮影された画像のサムネイル画像の送信を要求する通信を行い（ステップＳ７１５）、ステップＳ７０９へ進む。
【００７１】
以降は、「春」の検索領域６０１の近くにデジタルカメラが置かれた場合と同様に、デジタルカメラからサムネイル画像（検索結果）を受信する（ステップＳ７０９）。更に、受信したサムネイル画像をデコードして表示部２０４の表示領域（「冬」の検索領域６０４）に表示し（ステップＳ７１０）、本処理を終了する。
【００７２】
図８は、液晶テレビ１０１の表示部２０４に対するサムネイル画像の表示例を示す図である。
【００７３】
図８において、１台の液晶テレビ１０１の近くに２台のデジタルカメラ８２１、８２２を置いた場合の、液晶テレビ１０１の表示部２０４の画面に表示されるサムネイル画像の表示例を示している。液晶テレビ１０１の表示部２０４の画面は、４つの検索領域（「春」の検索領域８０１、「夏」の検索領域８０２、「秋」の検索領域８０３、「冬」の検索領域８０４）に境界線で明示され等しく分割されている。４つの検索領域８０１、８０２、８０３、８０４の隅部には、「春」を示すラベル８１１、「夏」を示すラベル８１２、「秋」を示すラベル８１３、「冬」を示すラベル８１４がそれぞれ表示されている。
【００７４】
デジタルカメラ８２１は、「春」の検索領域８０１の近くに置かれており、検索結果として春（３月、４月、５月）に撮影された画像のサムネイル画像８３１がデジタルカメラ８２１の近くに表示されている。一方、デジタルカメラ８２２は、「夏」の検索領域８０２の近くに置かれており、検索結果として夏（６月、７月、８月）に撮影された画像のサムネイル画像８３２がデジタルカメラ８２２の近くに表示されている。
【００７５】
図８から分かるように、使用者は液晶テレビ１０１の表示部２０４の画面を目視することで、デジタルカメラ８２１、８２２とそれぞれの検索結果との対応を容易に把握することができる。
【００７６】
以上説明したように、本実施の形態によれば以下の作用効果を奏する。液晶テレビとデジタルカメラが一定の通信強度以上の無線通信接続で通信可能な場合に、液晶テレビの、デジタルカメラが置かれた位置に近い表示部の表示領域毎に設定された検索条件を基に、デジタルカメラで検索されたサムネイル画像を表示領域に表示する。
【００７７】
これにより、複数のデジタルカメラが液晶テレビに無線通信接続された場合でも、使用者が誤ることなく目的のデジタルカメラを選択することが可能となる。更に、デジタルカメラとその内部に記録されている画像との対応を使用者が簡単な手順で把握することが可能となる。
【００７８】
〔他の実施の形態〕
第１及び第２の実施の形態では、本発明のデータ制御装置の適用対象として液晶テレビを例に挙げ、本発明の情報機器の適用対象としてデジタルカメラを例に挙げたが、これに限定されるものではない。本発明は、無線通信機能を有する他の装置（再生装置等）、無線通信機能を有する他の機器（ポータブルオーディオプレーヤ、携帯電話機等）にも適用可能である。
【００７９】
第２の実施の形態では、液晶テレビの表示部の複数の検索領域にそれぞれ設定する検索条件として、「春」「夏」「秋」「冬」にそれぞれ撮影された画像を検索する条件を例に挙げたが、これに限定されるものではない。検索条件としては、例えば、風景を主体とした画像、人物を主体とした画像、旅行で撮影した画像、スポーツ競技で撮影した画像などを検索する条件など、様々な例が考えられる。
【００８０】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【００８１】
この場合、記憶媒体から読み出されたプログラムコード自体が前述した実施の形態の機能を実現することになり、そのプログラムコード及び該プログラムコードを記憶した記憶媒体は本発明を構成することになる。
【００８２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００８５】
【図１】本発明の第１の実施の形態に係る無線通信機能付液晶テレビの構成を示す構成図である。
【図２】無線通信機能付液晶テレビ及び無線通信機能付デジタルカメラの構成を示すブロック図である。
【図３】無線通信機能付液晶テレビの要部の構造を示す構成図である。
【図４】無線通信機能付液晶テレビの表示部に対するサムネイル画像の表示例を示す図である。
【図５ａ】無線通信機能付液晶テレビの近くに無線通信機能付デジタルカメラが置かれた場合の無線通信機能付液晶テレビのシステムコントローラの動作を示すフローチャートである。
【図５ｂ】無線通信機能付液晶テレビの近くに無線通信機能付デジタルカメラが置かれた場合の無線通信機能付液晶テレビのシステムコントローラの動作を示すフローチャートである。
【図６】本発明の第２の実施の形態に係る無線通信機能付液晶テレビの表示部に対する検索領域の表示例を示す図である。
【図７ａ】無線通信機能付液晶テレビの近くに無線通信機能付デジタルカメラが置かれた場合の無線通信機能付液晶テレビのシステムコントローラの動作を示すフローチャートである。
【図７ｂ】無線通信機能付液晶テレビの近くに無線通信機能付デジタルカメラが置かれた場合の無線通信機能付液晶テレビのシステムコントローラの動作を示すフローチャートである。
【図８】無線通信機能付液晶テレビの表示部に対するサムネイル画像の表示例を示す図である。
【符号の説明】
【００８６】
１０１  無線通信機能付液晶テレビ
１０２  無線通信機能付メモリ内蔵型デジタルカメラ
１０３  無線通信機能付メモリカード使用型デジタルカメラ
１０４  無線通信機能付外部ストレージ使用型デジタルカメラ
２０１  アンテナアレイ
２０３  システムコントローラ
２０４  表示部
２１１  無線通信部
２１３  フラッシュメモリ
２２１  無線通信部
２２３  メモリカードスロット
２２４  メモリカード
２３１  無線通信部
２３３  ＵＳＢ端子
２３４  ＵＳＢ接続ＨＤＤ
２３５  無線接続ＨＤＤ
【図１】
2010010790.tif 000003
【図２】
2010010790.tif 000004
【図３】
2010010790.tif 000005
【図４】
2010010790.tif 000006
【図５ａ】
2010010790.tif 000007
【図５ｂ】
2010010790.tif 000008
【図６】
2010010790.tif 000009
【図７ａ】
2010010790.tif 000010
【図７ｂ】
2010010790.tif 000011
【図８】
2010010790.tif 000012